(57)【要約】【課題】利便性を向上できる照明装置を提供する。【解決手段】設置面Ｆに設置される支持台２と、支持台２に対して回転自在の回転体３と、回転体３にスライド及び回転自在に支持される連結部１０と、平面状の発光面を有するとともに回転体３に対する連結部１０の回転方向と異なる方向に回動自在に連結部１０に軸支される発光パネル２０とを備えた。【選択図】図２
2012160385.tif 000002
【特許請求の範囲】
【請求項１】
設置面に設置される支持台と、前記支持台に対して回転自在の回転体と、前記回転体にスライド及び回転自在に支持される連結部と、平面状の発光面を有するとともに前記回転体に対する前記連結部の回転方向と異なる方向に回動自在に前記連結部に軸支される発光パネルとを備えたことを特徴とする照明装置。
【請求項２】
前記連結部が二軸ヒンジから成り、前記回転体に支持される第１軸部と、第１軸部に直交して前記発光パネルを軸支する第２軸部とを有することを特徴とする請求項１に記載の照明装置。
【請求項３】
前記回転体が第１軸部に嵌合する溝部を有し、前記溝部内を第１軸部がスライドすることを特徴とする請求項２に記載の照明装置。
【請求項４】
前記支持台の内部に一面を開口して前記回転体により覆われる凹部が形成されるとともに、第１軸部が径方向に突出する鍔部を有し、前記鍔部に一体に設けられるとともに前記凹部の底面を押圧して前記鍔部を前記溝部の周囲に当接させる方向に付勢する弾性体を備えたことを特徴とする請求項３に記載の照明装置。
【請求項５】
前記連結部が前記発光パネルの周部に配されることを特徴とする請求項１〜請求項４のいずれかに記載の照明装置。
【発明の詳細な説明】
【技術分野】
【０００１】
本発明は、発光面から照明光を出射する発光パネルを備えた照明装置に関する。
【背景技術】
【０００２】
従来の照明装置は特許文献１に開示されている。この照明装置は室内の天井壁等の設置面に設置される支持台に回転体を介して薄板状の発光パネルが取付けられる。発光パネルの一面には複数のＬＥＤを配した発光面が設けられる。支持台及び回転体は平面視円形に形成され、支持台上に回転体が積層して回転自在に配される。発光パネルは回転体の周縁に枢支され、回転体を覆う位置から設置面に対して立設するように回動することができる。
【０００３】
これにより、発光パネルが回転体と一体に設置面に略垂直な回転軸で回転するとともに、設置面に略平行な回動軸で設置面に対して傾倒する。従って、発光面の向きを可変して支持台の設置位置から室内等の所望の方向に照明光を出射し、直接照明や間接照明を行うことができる。
【先行技術文献】
【特許文献】
【０００４】
【特許文献１】特開２００８−２１８１８８号公報（第４頁〜第７頁、第１図）
【発明の概要】
【発明が解決しようとする課題】
【０００５】
上記従来の照明装置によると、例えば、室内の天井壁の中央部に支持台が取り付けられると、室内の隅部に使用者が居るときに発光面を使用者に向けることにより使用者の近傍を照明することができる。しかしながら、使用者の位置が支持台から遠いため照明が暗くなる。また、使用者が室内の中央部にいるときに使用者に対して離れた位置から直接照明や間接照明を行うことができない。そのほか、光の照射可能な角度範囲が設置面に対して平行方向では３６０度であるが、設置面に対して垂直方向では下方垂直から水平までの９０度と限定される。このため、天井面へ光を照射して間接照明を得るなどの上方垂直エリアを対象とした照明効果が得られない。従って、照明装置の利便性が悪い問題があった。
【０００６】
本発明は、利便性を向上することのできる照明装置を提供することを目的とする。
【課題を解決するための手段】
【０００７】
上記目的を達成するために本発明は、設置面に設置される支持台と、前記支持台に対して回転自在の回転体と、前記回転体にスライド及び回転自在に支持される連結部と、平面状の発光面を有するとともに前記回転体に対する前記連結部の回転方向と異なる方向に回動自在に前記連結部に軸支される発光パネルとを備えたことを特徴としている。
【０００８】
この構成によると、設置面に設置された支持部に対して回転体と一体に発光パネルが回動するとともに回転体に対して発光パネルがスライドする。これにより、発光パネルを支持部に対してずれて配置することができる。また、回転体に対して連結部が回転するとともに連結部に対して発光パネルが回動する。これにより、発光パネルの向きが設置面に対して二方向に可変される。
【０００９】
また本発明は、上記構成の照明装置において、前記連結部が二軸ヒンジから成り、前記回転体に支持される第１軸部と、第１軸部に直交して前記発光パネルを軸支する第２軸部とを有することを特徴としている。この構成によると、回転体に対して連結部が第１軸部の回りに回転すると、発光パネルが設置面に平行な面内で回転して向きが可変される。連結部に対して発光パネルが第１軸部に直交する第２軸部で回動すると、発光パネルが設置面に垂直な面内で回転して向きが可変される。
【００１０】
また本発明は、上記構成の照明装置において、前記回転体が第１軸部に嵌合する溝部を有し、前記溝部内を第１軸部がスライドすることを特徴としている。この構成によると、第１軸部が溝部に嵌合して発光パネルと一体の連結部が回転体に対して回転及びスライドする。
【００１１】
また本発明は、上記構成の照明装置において、前記支持台の内部に一面を開口して前記回転体により覆われる凹部が形成されるとともに、第１軸部が径方向に突出する鍔部を有し、前記鍔部に一体に設けられるとともに前記凹部の底面を押圧して前記鍔部を前記溝部の周囲に当接させる方向に付勢する弾性体を備えたことを特徴としている。
【００１２】
この構成によると、支持台の凹部が回転体により覆われ、凹部内に空間が形成される。回転体に貫通して設けた溝部に第１軸部が嵌合し、第１軸部の鍔部が凹部側に配される。第１軸部と一体の弾性体の付勢により鍔部が溝部の周囲に当接して発光パネルの回転体に対する位置が保持されるとともに回転体の回転位置が保持される。弾性体の付勢力に抗して第１軸部を発光パネルとともに押圧すると鍔部が溝部の周囲から離れ、第１軸部が溝部内でスライド及び回転する。
【００１３】
また本発明は、上記構成の照明装置において、前記連結部が前記発光パネルの周部に配されることを特徴としている。この構成によると、第２軸部で発光パネルを回動させると発光パネルが設置面に対して傾倒する。
【発明の効果】
【００１４】
本発明によると、支持台に対して回転体を発光パネルと一体に回転し、回転体に対して連結部を発光パネルと一体にスライド及び回動させることにより、支持台に対してずれた所望の位置に発光パネルを配置することができる。また、連結部によって発光パネルが回転体に対して２方向に回動するため、発光面を所望の方向に向けることができる。従って、所望の位置及び向きで照明を行うことができ、照明装置の利便性を向上することができる。
【図面の簡単な説明】
【００１５】
【図１】本発明の実施形態の照明装置を示す底面図
【図２】図１のＡ−Ａ断面図
【図３】本発明の実施形態の照明装置を示す側面図
【図４】本発明の実施形態の照明装置の発光パネルの配置を可変した底面図
【図５】本発明の実施形態の照明装置の発光パネルの配置を可変した底面図
【図６】本発明の実施形態の照明装置の発光パネルの配置を可変した底面図
【図７】本発明の実施形態の照明装置の発光パネルの配置を可変した側面図
【図８】本発明の実施形態の照明装置の発光パネルの配置を可変した側面図
【発明を実施するための形態】
【００１６】
以下に本発明の実施形態を図面を参照して説明する。図１は一実施形態の照明装置１の底面図を示している。また、図２は図１のＡ−Ａ断面図を示しており、図３は照明装置１の側面図を示している。照明装置１は室内の天井壁等の設置面Ｆに設置される支持台２に発光パネル２０が取り付けられる。
【００１７】
支持台２は平面視矩形に形成され、発光パネル２０側を開口する平面視円形の凹部２ａが内部に形成された断面コ字状になっている。凹部２ａの開口面は平面視円形の回転体３により覆われる。回転体３の周面には凸部３ｃが形成され、凹部２ａの内周壁に凹設された環状の嵌合部２ｂに凸部３ｃが嵌合する。これにより、回転体３は支持台２に対して回転自在に配される。
【００１８】
回転体３には中心部から周面まで径方向に延びて厚み方向に貫通する溝部３ａが設けられる。回転体３の凹部２ａ側の面には溝部３ａに沿って段差部３ｂが凹設される。
【００１９】
発光パネル２０は支持台２と略同サイズの平面視矩形の薄板状に形成される。発光パネル２０の厚み方向に直交する一方の面には、面発光する発光領域２０ｂを有した平面状の発光面２０ａが形成される。発光面２０ａの発光領域２０ｂから照明光が出射される。また、発光パネル２０の周部には凹部２０ｃが形成される。凹部２０ｃは発光パネル２０の一辺を形成する周面の中央部を開放するとともに発光面２０ａの対向面側を開放する。
【００２０】
発光パネル２０の凹部２０ｃには発光パネル２０と回転体３とを連結する連結部１０が配される。連結部１０は二軸ヒンジから成り、直交する軸部１０ａ、１０ｂを有している。軸部１０ａ（第１軸部）は回転体３の溝部３ａに嵌合し、径方向に突出する鍔部１０ｃが先端に設けられる。鍔部１０ｃは回転体３の段差部３ｂに配される。
【００２１】
鍔部１０ｃには圧縮バネ等の弾性体１１の一端が取り付けられる。弾性体１１の他端には低摩擦係数を有するシート状の摺動部材１２が取り付けられる。弾性体１１は摺動部材１２を介して凹部２ａの底面を押圧し、鍔部１０ｃを溝部３ａの周囲に当接させる方向に付勢する。
【００２２】
連結部１０の軸部１０ｂ（第２軸部）は発光パネル２０の凹部２０ｃの側壁に設けた軸孔２０ｄに嵌合し、発光パネル２０を軸支する。これにより、発光パネル２０が設置面Ｆに対して傾倒可能に配される。尚、軸部１０ｂと軸孔２０ｄとの摩擦によって発光パネル２０の回動位置（傾倒位置）が保持される。軸部１０ｂを発光パネル２０に設けて軸孔２０ｄを連結部１０に設けてもよい。
【００２３】
発光パネル２０を弾性体１１の付勢力に抗して連結部１０とともに設置面Ｆ側に押圧すると、鍔部１０ｃと段差部３ｂとが離れる。このため、軸部１０ａを溝部３ａ内でスライド及び回転させることができる。従って、発光パネル２０と一体の連結部１０が回転体３に対してスライド及び回転自在に支持される。この時、低摩擦係数の摺動部材１２と凹部２ａの底面との摺動摩擦が小さいため容易に連結部１０のスライド及び回転を行うことができる。
【００２４】
弾性体１１の付勢による鍔部１０ｃと段差部３ｂとの摩擦により、回転体３に対して連結部１０のスライド位置及び回転位置が保持される。また、弾性体１１によって鍔部１０ｃを介して回転体３が付勢されるため、凸部３ｃと嵌合部２ｂとの摩擦により支持台２に対して回転体３の回転位置が保持される。
【００２５】
図１〜図３では、発光パネル２０の発光面２０ａを設置面Ｆと反対方向に向け、発光パネル２０により支持台２の全体が覆われる。これにより、発光面２０ａから照明光が矢印Ｄ１に示すように設置面Ｆの反対方向に略垂直に出射され、下方の直接照明を行うことができる。
【００２６】
図４の底面図に示すように、前述の図１〜図３の状態から回転体３を回転させると、支持台２に対する発光パネル２０の向きが設置面Ｆに平行な面内で可変される。これにより、照明装置１が上記と異なる美感を有し、下方の直接照明を行うことができる。
【００２７】
図５の底面図に示すように、前述の図１〜図３の状態から発光パネル２０を連結部１０とともにスライドさせると、支持台２に対して発光パネル２０の位置が設置面Ｆに平行な面内で可変される。これにより、支持台２の設置位置に対して発光パネル２０をずれた所望位置に配置することができる。従って、支持台２に対して離れた位置から下方の直接照明を行うことができる。
【００２８】
図６の底面図に示すように、前述の図１〜図３の状態から発光パネル２０を軸部１０ｂの回りに回転させると、支持台２に対して発光パネル２０の位置及び向きが設置面Ｆに平行な面内で可変される。これにより、支持台２の設置位置に対して発光パネル２０をずれた所望位置に配置することができる。従って、支持台２に対して前述の図５の状態よりも更に離れた位置から下方の直接照明を行うことができる。この時、回転体３を回転すると、支持台２の周囲の所望位置に発光パネル２０を配置することができる。
【００２９】
図７の側面図に示すように、前述の図１〜図３の状態から発光パネル２０を軸部１０ｂの回りに回動させると、支持台２に対して発光パネル２０の向きが設置面Ｆに垂直な面内で可変される。実線で示すように発光パネル２０を設置面Ｆに対して垂直に配置すると、発光面２０ａから照明光が矢印Ｄ２に示すように設置面Ｆに平行に出射される。これにより、例えば側方に位置する壁に照明光を出射して間接照明を行うことができる。尚、設置面Ｆを室内の側壁にした場合は下方に照明光を出射する直接照明や上方に位置する天井に照明光を出射する間接照明を行うことができる。
【００３０】
また、同図の一点鎖線に示すように、発光パネル２０を設置面Ｆに対して傾斜して配置すると、発光面２０ａから照明光が矢印Ｄ３に示すように斜め下方に出射される。これにより、支持台２の設置位置から斜め方向の直接照明を行うことができる。
【００３１】
図８の側面図に示すように、前述の図７の実線の状態から発光パネル２０を軸部１０ａの回りに１８０゜回動させると、発光面２０ａから照明光が矢印Ｄ４に示すように設置面Ｆに平行で矢印Ｄ２（図７参照）と反対方向に出射される。これにより、例えば側方に位置する壁に照明光を出射して間接照明を行うことができる。尚、設置面Ｆを室内の側壁にした場合は下方に照明光を出射した直接照明や上方に位置する天井に照明光を出射した間接照明を行うことができる。
【００３２】
また、同図の一点鎖線に示すように、発光パネル２０を設置面Ｆに対して傾斜して配置すると、発光面２０ａから照明光が矢印Ｄ５に示すように斜め上方に出射される。これにより、設置面Ｆに向かって照明光を出射して間接照明を行うことができる。
【００３３】
本実施形態によると、支持台２に対して回転体３を発光パネル２０と一体に回転し、回転体３に対して連結部１０を発光パネル２０と一体にスライド及び回動させることにより、支持台３に対してずれた所望の位置に発光パネル２０を配置することができる。また、連結部１０によって発光パネル２０が回転体３に対して２方向に回動するため、発光面２０ａを所望の方向に向けることができる。
【００３４】
これにより、使用者の位置が支持台２から遠くても照明を明るくすることができる。また、支持台２の近傍の使用者に対して離れた位置から直接照明や間接照明を行うことができる。従って、所望の位置及び向きで照明を行うことができ、照明装置１の利便性を向上することができる。
【００３５】
また、連結部１０が二軸ヒンジから成り、回転体３に支持される軸部１０ａ（第１軸部）と、軸部１０ａに直交して発光パネル２０を軸支する軸部１０ｂ（第２軸部）とを有する。これにより、発光パネル２０を回転体に対して容易に２方向に回動させることができる。
【００３６】
また、回転体３が軸部１０ａに嵌合する溝部３ａを有し、溝部３ａ内を軸部１０ａがスライドするので、回転体３に対してスライド及び回転する連結部１０を容易に実現することができる。
【００３７】
また、軸部１０ａに設けた鍔部１０ｃに一体に設けた弾性体１１が支持台２の凹部２ａの底面を押圧して鍔部１０ａを溝部３ａの周囲に当接させる方向に付勢するので、支持台２に対する回転体３の位置及び回転体３に対する連結部１０の位置を容易に保持することができる。
【００３８】
また、連結部１０が発光パネル２０の周部に配されるので、設置面Ｆに対して発光パネル２０を容易に傾倒させることができる。
【００３９】
本実施形態において、室内の天井壁から成る設置面Ｆに照明装置１の支持台２を設置して取り付けているが、側壁に設置して取り付けてもよく、床面に載置して設置してもよい。また、発光パネル２０及び支持台２を平面視矩形以外の円形や多角形に形成してもよく、発光パネル２０を薄板状に限らずキューブ状に形成してもよい。
【産業上の利用可能性】
【００４０】
本発明によると、発光面から照明光を出射する発光パネルを備えた照明装置に利用することができる。
【符号の説明】
【００４１】
１    照明装置
２    支持台
２ａ  凹部
３    回転体
３ａ  溝部
３ｂ  段差部
１０    連結部
１０ａ  軸部（第１軸部）
１０ｂ  軸部（第２軸部）
１０ｃ  鍔部
１１    弾性体
１２    摺動部材
２０    発光パネル
２０ａ  発光面
２０ｃ  凹部
【図１】
2012160385.tif 000003
【図２】
2012160385.tif 000004
【図３】
2012160385.tif 000005
【図４】
2012160385.tif 000006
【図５】
2012160385.tif 000007
【図６】
2012160385.tif 000008
【図７】
2012160385.tif 000009
【図８】
2012160385.tif 000010